(57)【要約】【課題】電源用コネクタを用いた回路を備える装置のメンテナンス時の作業効率や当該装置を製造する際の生産効率を低下させることなく、電源用コネクタの接触不良を防止したい。【解決手段】コードが接続されたコンタクトを収納したメス側コネクタに装着するコネクタ補助部材であって、コンタクトに接続されたコードを前記コンタクトが挿入されるメス側コネクタの背面に固定するコード固定部と、該コード固定部を有し前記メス側コネクタの背面に直交する上面又は底面に配置する本体と、前記コード固定部が前記コードを前記メス側コネクタの背面に固定する位置で前記本体を前記メス側コネクタに装着する装着部とを備える。【選択図】      図１
2004179017.tif 000002
【特許請求の範囲】
【請求項１】
コードが接続されたコンタクトを収納したメス側コネクタに装着するコネクタ補助部材であって、コンタクトに接続されたコードを前記コンタクトが挿入されるメス側コネクタの背面に固定するコード固定部と、該コード固定部を有し前記メス側コネクタの背面に直交する上面又は底面に配置する本体と、前記コード固定部が前記コードを前記メス側コネクタの背面に固定する位置で前記本体を前記メス側コネクタに装着する装着部とを備えることを特徴とするコネクタ補助部材。
【発明の詳細な説明】
【０００１】
【発明の属する技術分野】
本発明は、ハードティスクドライブなどに用いられる電源用コネクタに装着するコネクタ補助部材に関する。
【０００２】
【従来の技術】
図３は、従来の電源用コネクタを説明する図である。
パーソナルコンピュータに搭載されるハードディスクドライブやＣＤ−ＲＯＭ（Ｃｏｍｐａｃｔ  Ｄｉｓｃ  Ｒｅａｄ  Ｏｎｌｙ  Ｍｅｍｏｒｙ）ドライブにおいて、図３に示すようなコネクタ（例えば、ＡＭＰ社製コマーシャルメイテンロックコネクタ）が、電源用コネクタとして標準的に用いられている。図３に示すような電源用コネクタは、メス側のコネクタ（以下、「メス側コネクタ５」という。）と、オス側のコネクタ（以下、「オス側コネクタ１４」という。）とからなる。
【０００３】
メス側コネクタ５は、図３（ａ）に示すように、突起部１４を有する複数のコンタクト収納孔１３を備える。コンタクト収納孔１３は、コード６が接続される円筒状のコンタクト１２を収納する。コンタクト１２は、切り欠き部１７を有する。
【０００４】
メス側コネクタ５の突起部１４の部分の径は、コンタクト１２の径より若干小さい。コンタクト１２をコンタクト収納孔１３に挿入する際、コンタクト１２は圧入され、突起部１４を通過する。コンタクト収納孔１３に挿入されたコンタクト１２は、図３（ｂ）に示すように、コンタクト１２の一部がコンタクト収納孔１３の突起部１４に引っかかり、コンタクト収納孔１３から抜けにくくなる。
【０００５】
オス側コネクタ１５は、図３（ｃ）に示すように、コンタクト１２が差し込まれるピン１６を複数備え、例えば、回路基板上に配置される。
【０００６】
メス側コネクタ５をオス側コネクタ１５に差し込んだ場合、図３（ｄ）に示すように、コンタクト１２がピン１６に挿入され、コンタクト１２の内側とピン１６の表面とが接触する。このことにより、コンタクト１２に接続されたコード６につながる回路と、オス側コネクタ１５が接続される回路とが通電可能な状態となる。
【０００７】
回路と回路とを電気的に接続する２個の部材からなるコネクタとしては、特許文献１に開示されているような、コンタクトにコードが接続され、コンタクトを圧入したメス側コネクタ（特許文献１においては「ボディ」）とコードとをキャップにより覆い、メス側コネクタの貫通孔を相手方のピン（特許文献１においては「ピンコンタクト」）が挿入する程度の大きさにし、ピンをコンタクトに挿入することにより、不要な外力によるコンタクトの変形やコネクタ内部への異物による接触不良を防止するコネクタがある。
【０００８】
また、特許文献２に開示されているような、複数の細い信号線が連なったケーブル（フラットケーブル）を取り囲むように形成した箱型のメス側コネクタ（特許文献２においては「雄側コネクタ」）にフラットケーブル取り付け、メス側コネクタをオス側コネクタ（特許文献２においては「雌側コネクタ」）に挿入し、メス側コネクタとオス側コネクタの両者が外れないようにロックし、メス側コネクタとオス側コネクタとでフラットケーブルの複数の信号線を確実に接続するコネクタがある。
【０００９】
【特許文献１】特開平１０−２７０１１３号公報
【特許文献２】実開平０５−０９０８４９号公報
【００１０】
【発明が解決しようとする課題】
前述した図３に示すような電源用コネクタを用いるハードディスクドライブは、パーソナルコンピュータ以外に、オーディオ信号やビデオ信号を記憶する記憶装置として長時間信号記録再生装置等の専用装置にも用いられることがある。このような専用装置に用いられるハードディスクドライブは、メンテナンス等により、専用装置からハードディスクドライブを取り外したり取り付ける頻度が、パーソナルコンピュータからハードディスクドライブを取り外したり取り付ける頻度より高い。
【００１１】
前述した図３に示すような電源用コネクタにおいて、メス側コネクタ５とオス側コネクタ１５との抜き差しを繰り返した場合、コンタクト１２の切り欠き部１７が広がり、コンタクト１２とピン１６との接触面積が小さくなり、コンタクト１２とピン１６との間に隙間ができ、接触不良となる場合がある。
【００１２】
また、前述した図３に示すような電源用コネクタでは、一般的に、メス側コネクタ５のコンタクト１２に太く固いコードが接続される。
【００１３】
図４は、装置内に回路を取り付けた場合の電源用コネクタを説明する図である。
メス側コネクタ５のコンタクト１２は、コンタクト収納孔１３との間の隙間により若干移動可能である。電源用コネクタは、コンタクト１２に太いコード６が接続されるため、当該電源用コネクタを用いた回路を装置内部に取り付ける際に、メス側コネクタ５に接続されているコード６が曲げられた状態で回路が取り付けられることがある。コード６が曲がることによりコンタクト１２に力が加わり、コンタクト１２がコンタクト収納孔１３の中で移動することがある。
【００１４】
コンタクト１２がコンタクト収納孔１３の中で移動可能であるため、コンタクト１２がピン１６に斜めの状態で差し込まれ、切り欠き部１７が広がる場合がある。コンタクト１２の切り欠き部１７が広がると、コンタクト１２とピン１６とが接触不良を起こすことがある。この電源用コネクタの接触不良が原因により、装置に安定した電力が供給されず回路が正常に動作しなくなり、装置を破壊する虞がある。
【００１５】
また、接触不良を防止する手段として、特許文献１や特許文献２に開示されているコネクタを用いることが考えられる。しかし、特許文献１に開示されているコネクタは、コード毎にコネクタを接続しなければならない。このため、複数のコードを回路に接続するためには、コードの本数分のコネクタが必要になり、メンテナンス等におけるハードディスクドライブ等の取り外しや取り付けの際に手間がかかり、作業効率が低下する。
【００１６】
また、特許文献２に開示されているコネクタは、微小電流が流れる信号線からなるフラットケーブル用のコネクタである。フラットケーブルは、微小電流が流れる信号線として用いることができるが、大電流が流れる電源用ケーブルには適していない。このため、当該コネクタも電源用コネクタとして用いることができない。
【００１７】
さらに、複数の回路を組み合わせて１台の装置を製造する工程において、全ての回路に用いられている電源用コネクタを特許文献１や特許文献２に開示されているコネクタに変更すると、コネクタを変更する作業が増え時間がかかり、生産効率が低下する。また、コネクタ変更に要するコストもかかる。
【００１８】
本発明は、電源用コネクタを用いた回路を備える装置のメンテナンス時の作業効率や当該装置を製造する際の生産効率を低下させることなく、電源用コネクタにおける接触不良を防止することができるコネクタ補助部材を提供することを目的とする。
【００１９】
【課題を解決するための手段】
本発明は、コードが接続されたコンタクトを収納したメス側コネクタに装着するコネクタ補助部材であって、コンタクトに接続されたコードを前記コンタクトが挿入されるメス側コネクタの背面に固定するコード固定部と、該コード固定部を有し前記メス側コネクタの背面に直交する上面又は底面に配置する本体と、前記コード固定部が前記コードを前記メス側コネクタの背面に固定する位置で前記本体を前記メス側コネクタに装着する装着部とを備えることを特徴とする。
【００２０】
【発明の実施の形態】
図１は、本発明のコネクタ補助部材の一実施例の概略構成とコネクタ補助部材をメス側コネクタに装着した状態とを示す図である。
図１（ａ）に示すように、コネクタ補助部材１は、板金からなり、本体２、コード固定部３、装着部４を備える。コード固定部３は、本体２に備えられ、コネクタ補助部材１がメス側コネクタ５に装着した場合に、コード６をメス側コネクタ５に押さえつける。装着部４は、本体２に備えられ、コネクタ補助部材１をメス側コネクタ５に装着する。
【００２１】
コネクタ補助部材１は、図１（ｂ）に示すようにメス側コネクタ５に装着する。本体２は、メス側コネクタ５の底面７側に配置される。本実施例では、本体２は、メス側コネクタ５の底面７側に配置されるとしたが、メス側コネクタ５の上面１０側に配置されてもよい。
【００２２】
コード固定部３は、メス側コネクタ５の背面（コード６が出ている面）８に配置される。装着部４は、メス側コネクタ５の側面９から上面１０にわたって配置される。装着部４は、Ｌ字状の形状であり、コネクタ補助部材１は、本体２とＬ字状の装着部４とによりメス側コネクタ５に固定される。
【００２３】
本実施例において、コネクタ補助部材１のコード固定部３は、図１（ａ）に示すようにＬ字状であるが、それに限定されない。コード固定部３は、例えば、本体２に垂直に設けた平板であり、当該平板のコード６が接触する部分にプラスチック、樹脂等を装着した構成でもよい。
【００２４】
図１（ｃ）において、コネクタ補助部材１は、メス側コネクタ５の底面７側から装着する。装着部４の一部は、メス側コネクタ５の側面９に設けられた突出部１１の一部と接触し、コネクタ補助部材１をメス側コネクタ５に固定する。このことにより、コネクタ補助部材１は、コード固定部３がコード６を介してメス側コネクタ５の背面８を押圧するように装着される。
【００２５】
コネクタ補助部材１をメス側コネクタ５に装着する際、コンタクト１２に接続されているコード６は、コネクタ補助部材１の装着部３により図１（ｃ）の矢印Ａの方向に引っ張られる。コード６が矢印Ａの方向に引っ張られると、コード６に接続されているコンタクト１２は、図１（ｃ）の矢印Ｂの方向に引っ張られ、コンタクト１２の一部とコンタクト収納孔１３の突起部１４とが接触し、コンタクト収納孔１３の内部に固定される。
【００２６】
コード６は、メス側コネクタ５の背面８とコネクタ補助部材１のコード固定部３との間に配置される部分が湾曲し、メス側コネクタ５の背面８とコネクタ補助部材１のコード固定部３とにより、メス側コネクタ５の背面８に固定される。
【００２７】
このため、メス側コネクタ５に接続されたコード６に力が加わっても、その力は、メス側コネクタ５の背面８とコネクタ補助部材１のコード固定部３とに挟まれた部分に加わり、メス側コネクタ５の背面８とコネクタ補助部材１のコード固定部３との内側に配置されたコード６にかかる力は低減する。
【００２８】
図２は、本実施例のコネクタ補助部材を装着したメス側コネクタをオス側コネクタに差し込んだ状態を示す構成図である。
コネクタ補助部材１を装着したメス側コネクタ５をオス側コネクタ１５に差し込むと、図２に示すように、コンタクト１２は、オス側コネクタ１５のピン１６に挿入される。この状態で、コード６に対して力が加わっても、その力は、メス側コネクタ５とコネクタ補助部材１のコード固定部３とに挟まれた部分に加わり、メス側コネクタ５とコネクタ補助部材１のコード固定部３とに挟まれた部分よりメス側コネクタ５の内側に配置されるコード６に加わる力は低減する。
【００２９】
このため、コンタクト１２には、外部からの余分な力が加わらず、ピン１６に挿入された状態を維持する。したがって、コンタクト１２の切り欠き部１７が広がり、接触不良を起こすことを防止することができる。
【００３０】
また、コード６は、コネクタ補助部材１によりメス側コネクタ５に固定しているため、装置のメンテナンス等におけるメス側コネクタ５とオス側コネクタ１５との抜き差しの際に、コード６の変形に応じてコンタクト１２がメス側コネクタ５のコンタクト収納孔１３の内部を移動することがない。このことにより、メス側コネクタ５とオス側コネクタ１５との抜き差しを繰り返しても、コンタクト１２の切り欠き部１７が広がることによる接触不良を防止することができる。
【００３１】
また、コネクタ補助部材１のコード固定部３は、コンタクト収納孔１３のメス側コネクタ５の背面８を覆うように配置されるため、コンタクト収納孔１３のメス側コネクタ５の背面８からのチリ等の侵入を防ぐことができる。このことにより、コンタクト収納孔１３から侵入したチリ等がコンタクト１２に付着し、メス側コネクタ５をオス側コネクタ１４に差し込んだ際にコンタクト１２がピン１６と接触せず、接触不良を起こすことを防止することができる。
【００３２】
また、コネクタ補助部材１は、金属の板金で形成しているため、装着部４を折り曲げることにより容易にコネクタ補助部材１をメス側コネクタ５に装着することができ、装着部４をメス側コネクタ５から外すことにより容易にコネクタ補助部材１をメス側コネクタ５から取り外すことができる。したがって、装置の製造工程においてハードディスクドライブ等を装置に取り付ける際にも、ハードディスクドライブ等の電源コネクタにコネクタ補助部材１を簡単に取り付けることができ、生産効率が低下することがない。
【００３３】
【発明の効果】
本発明によれば、電源用コネクタを用いた回路を備える装置のメンテナンス時の作業効率や当該装置を製造する際の生産効率を低下させることなく、電源用コネクタにおける接触不良を防止することができる。
【図面の簡単な説明】
【図１】本発明のコネクタ補助部材の一実施例の概略構成とコネクタ補助部材をメス側コネクタに装着した状態とを示す図。
【図２】本実施例のコネクタ補助部材を装着したメス側コネクタをオス側コネクタに差し込んだ状態を示す構成図。
【図３】従来の電源用コネクタを説明する図。
【図４】装置内に回路を取り付けた場合の電源用コネクタを説明する図。
【符号の説明】
１・・・コネクタ補助部材、２・・・本体、３・・・コード固定部、４・・・装着部、５・・・メス側コネクタ、６・・・コード、７・・・底面、８・・・背面、９・・・側面、１０・・・上面、１１・・・突出部、１２・・・コンタクト、１３・・・コンタクト収納部、１４・・・突起部、１５・・・オス側コネクタ、１６・・・ピン、１７・・・切り欠き部。
【図１】
2004179017.tif 000003
【図２】
2004179017.tif 000004
【図３】
2004179017.tif 000005
【図４】
2004179017.tif 000006